(57)【要約】【課題】結束バンドの余長部を切断しなくとも、カバーと接続箱本体との間への挟み込みを防止し、しかも近隣の他の電線等の線条体の挟み込みをも防止できるようにする。【解決手段】接続箱本体２とカバー２２とを備える電気接続箱１で、接続箱本体側で線条体３，４を結束バンド５で結束し、線条体から離間して接続箱本体側にバンド挿通部７を設け、結束バンドの余長部５ａをバンド挿通部７に挿通支持させた。余長部５ａを接続箱本体２の外壁８の近傍で外壁よりも高く配置し、且つ線条体以外の他の線条体２１に沿って配置し、外壁よりも外側への他の線条体の突出を防止した。バンド挿通部７を外壁８の近傍で外壁よりも高く突出して配置した。他の線条体２１を線条体３，４とバンド挿通部７との間に配置した。線条体固定用のバンド挿通部６を線条体３，４の近傍で外壁８よりも高く突出して設けた。【選択図】図１
2010093964.tif 000002
【特許請求の範囲】
【請求項１】
接続箱本体とカバーとを備える電気接続箱において、該接続箱本体側で線条体が結束バンドで結束され、該線条体から離間して該接続箱本体側にバンド挿通部が設けられ、該結束バンドの余長部が該バンド挿通部に挿通支持されたことを特徴とする電気接続箱の結束バンド構造。
【請求項２】
前記バンド挿通部に挿通支持された前記余長部が、前記接続箱本体の外壁の近傍で該外壁よりも高く配置され、且つ該余長部が、前記線条体以外の他の線条体に沿って配置され、該外壁よりも外側への該他の線条体の突出を防止したことを特徴とする請求項１記載の電気接続箱の結束バンド構造。
【請求項３】
前記バンド挿通部が前記外壁の近傍で該外壁よりも高く突出して配置されたことを特徴とする請求項２記載の電気接続箱の結束バンド構造。
【請求項４】
前記他の線条体が、前記結束バンドで結束される線条体と前記バンド挿通部との間に配置されたことを特徴とする請求項２又は３記載の電気接続箱の結束バンド構造。
【請求項５】
線条体固定用のバンド挿通部が、前記結束バンドで結束される前記線条体の近傍で前記外壁よりも高く突出して設けられたことを特徴とする請求項１〜４の何れかに記載の電気接続箱の結束バンド構造。
【請求項６】
前記バンド挿通部が、バンド挿通孔を有する枠状部と、該枠状部を支持する支柱部とで構成され、該支柱部が前記接続箱本体に固定されたことを特徴とする請求項１〜５の何れかに記載の電気接続箱の結束バンド構造。
【発明の詳細な説明】
【技術分野】
【０００１】
本発明は、電気接続箱内で複数本の電線等の線条体を結束バンドで結束する電気接続箱の結束バンド構造に関するものである。
【背景技術】
【０００２】
図７は、従来の電気接続箱の結束バンド構造の一形態を示すものである（特許文献１参照）。
【０００３】
この構造は、合成樹脂製の電気接続箱本体５１の内側にリレーやヒューズやコネクタ等の電気部品（図示せず）を配設すると共に、接続箱本体５１内にワイヤハーネス（複数本の電線）５２を配索し、ワイヤハーネス５２の幹線部や分岐線部（図示せず）を合成樹脂製の結束バンド５３で結束したものである。
【０００４】
分岐線部は各電気部品に接続され、幹線部は接続箱本体５１の開口端を水平に貫通する。接続箱本体５１には合成樹脂製のカバー（下カバー）が被着され、各電気部品が覆われて保護される。結束バンド５３の結束やカバーの装着等は作業台の上で行われる。
【０００５】
結束バンド５３は、バンド本体（符号５３で代用）と、バンド本体の基端に一体形成された係止枠部（図示せず）とで構成され、バンド本体をワイヤハーネス５２の外周に巻いて枠状部に挿通し、バンド先端側を引っ張ることで、ワイヤハーネス５２が結束されつつ、バンド本体の表面の鋸歯状突起（図示せず）が係止枠部内の係止爪で係止されるものである。
【０００６】
上記以外に、電気接続箱の電線結束構造（図示せず）として、特許文献２には、結束バンドを用いずに、合成樹脂製の略Ｕ字状の幅広板状の結束部材でワイヤハーネス（複数本の電線）を結束し、結束部材を接続箱本体に係止させることが記載されている。
【０００７】
図８は、従来の電気接続箱の電線結束構造の他の形態を示すものである。
【０００８】
この構造は、合成樹脂製のフレーム（接続箱本体）２’の内側にヒューズやリレーやコネクタ等を配設すると共に、複数本の電線の先端部を溶着接続して成る一対のボンディングワイヤ３，４を縦置きに並列に配設してテープ巻き２０で結束したものである。
【０００９】
各ボンディングワイヤ３，４は絶縁樹脂製のキャップ１６，１７で覆われ、キャップ１６，１７の上端の突板部１６ａ，１７ａがテープ巻き２０で相互に固定されている。各電線３，４はテープ巻き２０に加えて結束バンド（図示せず）でフレーム２’側に固定される。フレーム２’にはアッパカバーとロアカバー（図示せず）が装着される。
【特許文献１】特開２００７−６２６９３号公報（図３）
【特許文献２】特開２００１−２１１５２８号公報（図１）
【発明の開示】
【発明が解決しようとする課題】
【００１０】
しかしながら、上記従来の図７の構造にあっては、結束バンド５３でワイヤハーネス５２を結束した後、結束バンド５３の余長部を切断する手間がかかるという問題があった。また、余長部の切断を行わないと、カバーの装着時に余長部をカバーと接続箱本体５１との間に挟み込んだりする懸念があった。また、引用文献２記載の構造にあっては、略Ｕ字状の幅広板状の結束部材を電線の本数に応じて複数種設定しなければならず、結束バンドに較べてコスト高になるという問題があった。
【００１１】
また、上記図８の構造にあっては、電線３，４を結束バンドで結束固定した場合に、結束バンドの切断エッジで隣接の他の電線２１の絶縁被覆を傷付けたり、切断しない結束バンドをカバー（図示しないロアカバー）の装着時にフレーム（接続箱本体）との間に挟み込んで、カバーの係止が不完全になったりする心配があった。
【００１２】
また、結束する電線３，４の近傍で、結束しない他の電線（ヒューズ等に接続された電線）２１がフレーム２’の壁部８の近傍に配索されている場合に、これら他の電線２１が外側に湾曲して突出し、その突出部２１ａがカバー（ロアカバー）の装着時にフレーム２’との間に挟み込まれて傷み兼ねないという懸念があった。これらは、電線３，４，２１に代えてホースやチューブ等の線条体を用いた場合においても同様に生じ得るものである。
【００１３】
本発明は、上記した点に鑑み、結束バンドの余長部を切断しなくとも、余長部をカバーと接続箱本体との間に挟むことがなく、加えて、近隣の他の電線等の線条体の挟み込みも同時に防止することのできる電気接続箱の結束バンド構造を提供することを目的とする。
【課題を解決するための手段】
【００１４】
上記目的を達成するために、本発明の請求項１に係る電気接続箱の結束バンド構造は、接続箱本体とカバーとを備える電気接続箱において、該接続箱本体側で線条体が結束バンドで結束され、該線条体から離間して該接続箱本体側にバンド挿通部が設けられ、該結束バンドの余長部が該バンド挿通部に挿通支持されたことを特徴とする。
【００１５】
上記構成により、バンド余長部が切断されない状態で（長いままで）バンド挿通部に挿通されて安定に支持されることで、接続箱本体へのカバー装着時（閉止時）に、接続箱本体とカバーとの間へのバンド余長部の挟み込みが防止される。線条体としては、電線やホース等が挙げられる。
【００１６】
請求項２に係る電気接続箱の結束バンド構造は、請求項１記載の電気接続箱の結束バンド構造において、前記バンド挿通部に挿通支持された前記余長部が、前記接続箱本体の外壁の近傍で該外壁よりも高く配置され、且つ該余長部が、前記線条体以外の他の線条体に沿って配置され、該外壁よりも外側への該他の線条体の突出を防止したことを特徴とする。
【００１７】
上記構成により、他の線条体が屈曲しつつ外壁の外側に突出しようとしても、バンド余長部に当接して、バンド余長部よりも外側すなわち該外壁よりも外側への他の線条体の突出が防止される。これにより、カバー閉止時における接続箱本体とカバーとの間への他の線条体の挟み込みが防止される。他の線条体としては、電線やホース等が挙げられる。例えばバンド挿通部が外壁と同じ高さでも、外壁の上端が下向きに傾斜している場合は、水平なバンド余長部が外壁よりも高く配置されることになる。
【００１８】
請求項３に係る電気接続箱の結束バンド構造は、請求項２記載の電気接続箱の結束バンド構造において、前記バンド挿通部が前記外壁の近傍で該外壁よりも高く突出して配置されたことを特徴とする。
【００１９】
上記構成により、バンド余長部が外壁よりも確実（十分）に高く配置され、バンド余長部による他の線条体の当接支持が確実に行われる。また、バンド挿通部へのバンド余長部の挿通作業も容易化する。
【００２０】
請求項４に係る電気接続箱の結束バンド構造は、請求項２又は３記載の電気接続箱の結束バンド構造において、前記他の線条体が、前記結束バンドで結束される線条体と前記バンド挿通部との間に配置されたことを特徴とする。
【００２１】
上記構成により、結束バンドが、結束側の線条体とバンド挿通部とで二点支持され、バンド余長部が結束側の線条体とバンド挿通部との間でしっかりと（強固に）他の線条体を受け止める。
【００２２】
請求項５に係る電気接続箱の結束バンド構造は、請求項１〜４の何れかに記載の電気接続箱の結束バンド構造において、線条体固定用のバンド挿通部が、前記結束バンドで結束される前記線条体の近傍で前記外壁よりも高く突出して設けられたことを特徴とする。
【００２３】
上記構成により、線条体固定用のバンド挿通部に結束バンドのバンド本体を挿通してバンド締めすることで、結束バンドと線条体（他の線条体ではない）とが線条体固定用のバンド挿通部に固定され、バンド余長部の位置決めがぐらつき等なく正確に行われる。線条体固定用のバンド挿通部が高く突出したことで、バンド本体の挿通作業と結束作業が容易に行われると共に、バンド余長部が高く位置して、他の線条体の当接支持（受け止め）が確実に行われる。バンド本体とはバンド係止部を除く長尺部分を言い、バンド本体の結束部分以外が余長部となる。結束バンドは結束側の線条体と二つのバンド挿通部とで三点支持される。
【００２４】
請求項６に係る電気接続箱の結束バンド構造は、請求項１〜５の何れかに記載の電気接続箱の結束バンド構造において、前記バンド挿通部が、バンド挿通孔を有する枠状部と、該枠状部を支持する支柱部とで構成され、該支柱部が前記接続箱本体に固定されたことを特徴とする。
【００２５】
上記構成により、結束バンドのバンド本体が枠状部内のバンド挿通孔に挿通され、支柱部で支持される。支柱部の高さを適宜設定することで、結束側の線条体の結束位置や支持側の他の線条体の支持高さに対応可能となる。
【発明の効果】
【００２６】
請求項１記載の発明によれば、カバー装着時における接続箱本体とカバーとの間へのバンド余長部の挟み込みが防止され、それにより、車両走行中のカバーの不意な外れやガタ付きによる異音や、挟み込み部からの水の浸入等が防止され、電気接続箱の品質が高められる。
【００２７】
請求項２記載の発明によれば、バンド余長部で他の線条体の飛び出しが阻止され、カバー装着時における接続箱本体とカバーとの間への他の線条体の挟み込みやそれに伴う傷付き等が防止され、線条体としての電線の通電品質やホースの流通品質等が良好に維持される。
【００２８】
請求項３記載の発明によれば、他の線条体が高い位置のバンド余長部で確実に当接支持されて、請求項２記載の発明の効果が促進される。
【００２９】
請求項４記載の発明によれば、バンド余長部が、結束バンドで結束される線条体とバンド挿通部との間でしっかりと他の線条体を受け止めることで、請求項２，３記載の発明の効果が促進される。
【００３０】
請求項５記載の発明によれば、結束バンドが線条体固定用のバンド挿通部に固定されることで、バンド余長部が高い位置で正確に位置決めされ、バンド余長部による他の線条体の受け止め（突出防止）が確実に行われる。
【００３１】
請求項６記載の発明によれば、支柱部の高さを適宜設定して、結束バンドによる作業性の良好な線条体の結束位置や、バンド余長部による確実な他の線条体の受け止め位置を得ることができる。
【発明を実施するための最良の形態】
【００３２】
図１〜図６は、本発明に係る電気接続箱の結束バンド構造の一実施形態を示すものである。
【００３３】
図１，図２の如く、この電気接続箱１の結束バンド構造は、合成（絶縁）樹脂製のフレーム（接続箱本体）２内に一対のボンディングワイヤ（線条体）３，４を垂直に配索収容し、一対のボンディングワイヤ３，４を合成（絶縁）樹脂製の結束バンド５で結束するものにおいて、フレーム２に一対のバンド挿通部６，７を離間して配設し、一方のバンド挿通部６を結束バンド５とボンディングワイヤ３，４に対する固定部とし、他方のバンド挿通部７をバンド余長部５ａに対するガイド部としたものである。
【００３４】
一方のバンド挿通部６は、フレーム２の一壁部（外壁）８の近傍において、ボンディングワイヤ３，４の近傍に配置され、先ず一方のバンド挿通部６に結束バンド５の可撓性のバンド本体５ｂが挿通され、次いでバンド本体５ｂが結束バンド５の係止枠部５ｃに挿通係止されて、バンド本体５ｂのループ部５ｂ’で一対のボンディングワイヤ３，４と一方のバンド挿通部６とが相互に結束固定される。結束バンド５の構造は従来例におけるものと同様である。
【００３５】
他方のバンド挿通部７は、フレーム２の一壁部８の近傍において、結束バンド５の余長部５ａの突出方向（長手方向）に配置され、余長部５ａの長手方向中間部（余長部の先端寄りの部分）が他方のバンド挿通部７に挿通保持される。
【００３６】
各バンド挿通部６，７は、縦長矩形状の水平方向のバンド挿通孔６ａ，７ａを有する逆凹字状の枠状部６ｂ，７ｂと、枠状部をフレームの一壁部よりも高く突出させる支柱部６ｃ，７ｃとで構成され、枠状部６ｂ，７ｂは支柱部６ｃ，７ｃの先端（上端）に一体に設けられ、支柱部６ｃ，７ｃの正面は垂直なリブ９，１０（図２）を介して一側壁８に一体に連結されている。リブ９，１０で支柱部６ｃ，７ｃが一壁部８から少し内側に位置している。
【００３７】
支柱部６ｃ，７ｃは枠状部６ｂ，７ｂよりも幅広に形成され、バンド挿通作業時に上側のバンド余長部５ａを広い受け面積でスムーズに挿通案内する（実使用状態では電気接続箱１は上下反転するので、バンド余長部５ａは枠状部６ｂ，７ｂで支持される）。各バンド挿通孔６ａ，７ａの厚み寸法はバンド本体５ｂすなわちバンド余長部５ａの板厚よりも大きく、各バンド挿通孔６ａ，７ａの高さ寸法はバンド本体５ｂの幅すなわちバンド余長部５ａの幅よりも大きく設定され、バンド本体５ｂは各バンド挿通孔６ａ，７ａにスムーズに挿入（挿通）される。バンド本体５ｂがバンド係止枠５ｃよりも引張方向（先端５ｄの方向）に突出した部分がバンド余長部５ａである。
【００３８】
図１，図２は電気接続箱１を実使用状態とは上下反転して示しており、電気接続箱１の実使用状態では、バンド挿通部６，７の枠状部６ｂ，７ｂはフレーム２の一壁部８よりも下方に低く突出し、枠状部６ｂ，７ｂは支柱部６ｃ，７ｃの先端（下端）に一体に設けられる。明細書では便宜状図示の通りに上下を説明する。
【００３９】
図１，図２で、符号１１はヒューズ装着部（ヒューズブロック）、１２はリレー装着部（リレーブロック）、１３はコネクタをそれぞれ示す。ヒューズ１４（図６）やリレーは各装着部１１，１２の下側（裏側）に装着される。
【００４０】
各ボンディングワイヤ３，４は、複数本の絶縁被覆電線３ａ，４ａ（図３）の先端部を皮剥きして、露出した各電線導体部を溶着で相互に接続し、溶着部を含む電線先端側を絶縁キャップ１６，１７で覆って成るものであり、各キャップ１６，１７の先端（下端）側はフレーム２の有底の各筒状部１６，１７（図２，図５）の内側に挿入収容されている。両ボンディングワイヤ３，４は近接してフレーム長手方向に並列に配置され、結束バンド５の余長部５ａは両ボンディングワイヤ３，４の並び方向に水平に突出している。
【００４１】
各キャップ１６，１７の基端（上端）には突板部１６ａ，１７ａ（図５）が垂直に設けられ、各突板部１６ａ，１７ａにテープ巻き２０で各ボンディングワイヤ３，４の電線部分３ａ，４ａが相互に一次（仮）固定され、テープ巻き２０の上から結束バンド５の締め付けで各ボンディングワイヤ３，４の電線部分３ａ，４ａが相互に二次（本）固定されつつ、各キャップ１６，１７と共に一方の電線挿通部６に固定されている。結束バンド５の係止枠部５ｃは両電線挿通部１６，１７の間に位置して、一方の電線挿通部１６の枠状部６ｂの外端面（他方の電線挿通部７寄りの端面）に押接している。
【００４２】
バンド本体５ｂの余長部５ａは両バンド挿通部６，７に沿ってフレーム２の一壁部８と平行に配置される。すなわち、両バンド挿通部６，７の間で（正確には結束バンド５の係止枠部５ｃと他方のバンド挿通部７との間で）フレーム２の一壁部８と平行に真直に挿通案内される。
【００４３】
図３〜図５の如く、ボンディングワイヤ３，４の近傍において、結束バンド５の余長部５ａに沿って且つ余長部５ａよりもフレーム２の内側の位置で、複数本の他の電線（電線群）２１が上向き（垂直方向）に配索されている。本例の他の電線２１は、フレーム２内で一壁部８に沿って配置されたヒューズ装着部１１から導出された電線である（図６参照）。図６（ａ）で符号１４は、ヒューズ装着部１１に装着されたヒューズ、１６ｂ，１７ｂはボンディングワイヤ挿入用の筒状部１６，１７の底部をそれぞれ示している。
【００４４】
図３〜図５の如く、一対のバンド挿通部６，７の間において、すなわちボンディングワイヤ３，４と他方のバンド挿通部７との間において、複数本の他の電線２１が上向きに導出され、一対のバンド挿通部６，７で水平方向に真直に支持された結束バンド５の余長部５ａが、複数本の他の電線２１をフレーム２の一壁部８の上方においてフレーム外側寄りで支持して、一壁部８から外側への複数本の他の電線２１の突出を防止している。
【００４５】
すなわち、従来の図８のように複数本の他の電線２１が外向きに湾曲する等してフレーム２’の外側に突出することを、結束バンド５の余長部５ａが阻止している。複数本の他の電線２１が外側に突出しようとしても、結束バンド５の余長部５ａに当接して、余長部５ａよりも外側に突出することができない。
【００４６】
これにより、図４のカバー（ロアカバー）２２の装着時に、他の電線（他の線条体）２１がカバー２２とフレーム２との間に挟み込まれる心配が解消される。他の電線２１が挟まれないことで、他の電線２１の傷付きや曲がり変形が防止されると共に、カバー２２がフレーム２に係止手段２３，２４で確実に係止されて、車両の振動等に起因するカバー２２の不意な外れやガタ付きによる異音等が防止される。
【００４７】
図３において、符号３，４はボンディングワイヤ、２０はテープ巻き、１６ａ，１７ａはキャップ１６，１７の突板部、１１はヒューズ装着部、１３はコネクタ、１２はリレー装着部、２４は、ロアカバー２２（図４）に対する係止手段である係止枠、２５は、アッパカバー（図示せず）に対する係止用のフック片をそれぞれ示す。
【００４８】
係止枠２４は内向きの係止爪（図示せず）を有している。ヒューズ装着部１１やリレー装着部１２はフレーム２の下方からフレーム内に挿入係止される。フレーム２は、前後左右の外側の垂直な壁部（周壁）８，１６〜２８と、周壁内でヒューズ装着部１１やリレー装着部１２やコネクタ１３等を収容係止させる複数の垂直な枠状の隔壁２９等とで構成されている。
【００４９】
図４の如く、フレーム２の一壁部８の上端８ａはテーパ状に傾斜しており、一対のバンド挿通部６，７の高さ（上端の位置）は同じであるが、一壁部８から上側への各バンド挿通部６，７の露出長さＬは異なっている（一方のバンド挿通部６の露出が大きく、他方のバンド挿通部７の露出が少ない）。例えば他方のバンド挿通部７が上端テーパ状の一壁部８と同じ高さないしそれ以下であっても、一方のバンド挿通部６が一壁部８から高く突出していれば、結束バンド５の余長部５ａによる他の電線２１の支持（外部への突出防止）は有効に行われる。
【００５０】
カバー２２は、フレーム２の係止枠２４に対する係止手段である係止アーム２３を有し、係止アーム２３は、係止枠２４内の係止爪を係合させる凹部２３ａを有する。フレーム２とカバー２２の各一端側に電線導出用の略半円状（接合して略円形となる）の口部３０が設けられている。フレーム２は一端側と他端側の各ブラケット３１で車両に固定される。図４で、符号１１は、フレーム下端から突出したヒューズ装着部である。
【００５１】
図５の如く、結束バンド５は、余長部５ａを含むバンド本体５ｂの表面（一方の面）に鋸歯状の突起５ｅを有し、突起５ｅは係止枠部５ｃ内の係止爪（図示せず）に係合して、各ボンディングワイヤ３，４の結束状態を維持している。各ボンディングワイヤ３，４の先端部（溶着接続部）を収容したキャップ１６，１７は、テープ巻き用の突板部１６ａ，１７ａとは反対側で各電線３ａ，４ａを露出させ、その露出した電線３ａ，４ａが突板部１６ａ，１７ａと共に結束バンド５で結束されている。各キャップ１６，１７はフレーム２と一体の略環状の有底の筒状部１８，１９内に挿入されている。
【００５２】
ボンディングワイヤ３，４に隣接する他の電線群２１は一対のバンド挿通部６，７の間に配置されることが好ましいが、ボンディングワイヤ３，４から遠く離れた他方のバンド挿通部６から突出したバンド先端側の余長部５ａ’で他の電線２１を外部に突出（飛び出し）なく支持させることも可能である。図５で、符号１２はリレー装着部、１３はコネクタを示す。
【００５３】
図６（ａ）は電気接続箱１の実使用状態で上側となる面、（ｂ）は下側となる面をそれぞれ示すもので、図１〜図５は図６（ｂ）と同じ面を示している。図６（ａ）で、符号１６ｂ，１７ｂは筒状部１６，１７の底面、１４はヒューズ装着部１１に装着されたブレード型のヒューズ、３２は箱状のヒュージブルリンクをそれぞれ示している。
【００５４】
図６（ｂ）の如く、各ボンディングワイヤ３，４に隣接して、ヒューズ１４に接続された他の複数の電線２１が導出され、他の電線２１が結束バンド５の余長部５ａで外側への突出を防止されている。余長部５ａはフレーム２の一壁部８の内側で一壁部８と平行に真直に配置されている。
【００５５】
なお、上記実施形態においては、接続箱本体としてフレーム２を用い、フレーム２にバンド挿通部６，７を設けたが、フレーム２に代えてロアカバーやアッパカバーやケース等といった接続箱本体（図示せず）を用いて、その接続箱本体にバンド挿通部６，７を設けることも可能である。また、結束バンド５の種類は上記実施形態のものに限るものではなく、バンド本体５ｂの形状も板状に限らず、線状等であってもよい。
【００５６】
また、上記実施形態においては、二本のボンディングワイヤ３，４を結束バンド５で結束させたが、ボンディングワイヤ３，４に代えてヒューズ１４やリレーやコネクタ１３等に接続される複数本の電線を結束バンド５で結束させる構造において、バンド余長部５ａでボンディングワイヤ３，４やその他の電線（２１）を外部への飛び出しなく支持させることも可能である。
【００５７】
また、上記実施形態においては、二つのバンド挿通部６，７を用い、一方のバンド挿通部６に電線３ａ，４ａを結束バンド５で結束固定したが、電線３ａ，４ａをフレーム２に固定する必要のない場合は（ヒューズ１４やリレーやコネクタ３２等に接続された電線は特に固定しなくてもボンディングワイヤ３，４のように筒状部１６，１７から抜け出す心配がない）、他方のバンド挿通部７のみを設けて（一方のバンド挿通部６は排除して）、他方のバンド挿通部７でバンド余長部５ａを挿通支持させることも可能である。
【００５８】
また、上記実施形態においては、フレーム（接続箱本体）２にバンド挿通部６，７を設けたが、例えば、フレーム２に挿着されるヒューズブロック１１やリレーブロック１２やコネクタ１３等といった装着部品にバンド挿通部６，７を設けることも可能である。要は、接続箱本体側にバンド挿通部６，７が設けられていればよい。
【００５９】
また、上記実施形態においては、結束バンド５の余長部５ａを直線的に配置したが、例えば余長部５ａで支持すべき他の複数本の電線２１が直線的ではなく曲線的ないし折れ線的に配置されている場合は、他方の複数のバンド挿通部（７）を曲線的ないし折れ線的に配置して、バンド余長部５ａを曲線的ないし折れ線的に屈曲させることも可能である。
【００６０】
また、上記実施形態においては、結束バンド５で電線３ａ，４ａを結束したが、線条体として電線以外に一本以上（複数に限らない）のホースやチューブ等（図示せず）を用いて、ホースやチューブ等を結束バンド５で結束固定することも可能である。
【００６１】
また、上記実施形態においては、バンド余長部５ａで他の電線２１を支持したが、他の線条体として他の電線２１以外に一本以上（複数に限らない）のホースやチューブ等を用いて、ホースやチューブ等を結束バンド５で支持して外側への突出を防止することも可能である。
【００６２】
また、上記した本発明の構成は、電気接続箱１の結束バンド構造として以外に、電気接続箱１の電線結束構造や電気接続箱１自体としても有効なものである。
【図面の簡単な説明】
【００６３】
【図１】本発明に係る電気接続箱の結束バンド構造の一実施形態を一側方から全体的に示す分解斜視図である。
【図２】同じく結束バンド構造を正面側から示す斜視図である。
【図３】同じく結束バンド構造を他側方から示す斜視図である。
【図４】同じく結束バンド構造を正面側から全体的に示す分解斜視図である。
【図５】同じく結束バンド構造を背面側から示す斜視図である。
【図６】（ａ）は電気接続箱の要部を示す上方視平面図、（ｂ）は結束バンド構造を示す下方視平面図である。
【図７】従来の電気接続箱の結束バンド構造の一形態を示す正面図である。
【図８】従来の電気接続箱の電線結束構造の一形態を示す斜視図である。
【符号の説明】
【００６４】
１          電気接続箱
２          フレーム（接続箱本体）
３，４      ボンディングワイヤ（線条体）
５          結束バンド
５ａ        余長部
６          一方（線条体固定用）のバンド挿通部
６ａ，７ａ  バンド挿通孔
６ｂ，７ｂ  枠状部
６ｃ，７ｃ  支柱部
７          他方のバンド挿通部（バンド挿通部）
８          一壁部（外壁）
２１        他の電線（他の線条体）
２２        カバー
【図１】
2010093964.tif 000003
【図２】
2010093964.tif 000004
【図３】
2010093964.tif 000005
【図４】
2010093964.tif 000006
【図５】
2010093964.tif 000007
【図６】
2010093964.tif 000008
【図７】
2010093964.tif 000009
【図８】
2010093964.tif 000010